(57)【特許請求の範囲】
【請求項１】
石鹸液を吐出する石鹸液ノズルと手洗い水を吐出する手洗い水ノズルと消毒液を吐出する消毒液ノズルとがこの順序でシンク上部に配設されるとともに、うがい液を吐出するうがい液ノズルが上記シンクの上部に配置されており、
上記石鹸液ノズルへ石鹸液を供給する石鹸液供給手段と、手洗い水ノズルへ手洗い水を供給する手洗い水供給手段と、消毒液ノズルへ消毒液を供給する消毒液供給手段と、これら各供給手段の作動を制御し得る第１制御ユニットとを備えた給水給液部が設けられる一方、
上記各ノズルについて使用者の使用動作を検出する検出センサと、該検出センサの検出信号を受信し得る第２制御ユニットとがシンク側に設けられ、
該第２制御ユニットと上記第１制御ユニットとは、上記シンクと給水給液部とを組み立てた際に電気的に結合し得るように構成されており、上記第２制御ユニットには上記検出センサの感度を調節する調節手段が付設されている、
ことを特徴とする手洗い装置。
【請求項２】
上記シンクの底面部に排液口が設けられ、該シンクの少なくとも底面部を洗浄する洗浄水供給用の洗浄水ノズルが配設されていることを特徴とする請求項１に記載の手洗い装置。
【請求項３】
上記シンクの底面部は略円形および略長円形のいずれか一方の形状に形成されるとともに、径方向に延設された立ち上がり段部によって上記排液口の一部をそれぞれ含む複数の領域に区分けされ、これら区分けされた各領域は、周方向において一端側の立ち上がり段部の上端側から他端側の立ち上がり段部の下端側に向かって傾斜し、且つ、径方向において周縁側から排液口側に向かって傾斜する傾斜面を備えており、各領域毎に周方向に洗浄水を噴出させる洗浄水ノズルが設けられていることを特徴とする請求項２記載の手洗い装置。
【請求項４】
上記手洗い水供給手段と、上記薬液供給手段と、上記石鹸液供給手段と、上記うがい液ノズルへうがい液を供給するうがい液供給手段とが上記シンクの近傍に設けられ、該シンクと上記手洗い水供給手段と薬液供給手段と石鹸液供給手段とうがい液供給手段とを含み実質的に装置全体がキャビネット内に収納されていることを特徴とする請求項１〜３の何れか一に記載の手洗い装置。
【発明の詳細な説明】
【０００１】
【発明の属する技術分野】
この発明は、うがい液を供給するうがい液供給機構を内蔵した手洗い装置に関する。
【０００２】
【従来の技術】
従来、手や指先などの洗浄あるいは消毒を行うための手洗い装置として、石鹸液を供給する石鹸液ノズルと手洗い水を供給する手洗い水ノズルとを備え、使用者（ユーザ）の使用意志に応じて、石鹸液と手洗い水とを順次供給するようにしたものは一般に良く知られており、特に、近年では、ユーザの使用動作（例えば、ユーザが手を差し出す動作など）をセンサで検出して、石鹸液／手洗い水を自動的に供給できるようにしたものが幅広く採用されている。
【０００３】
また、本願出願人は、より衛生度の高い手洗いを実現すべく、手洗い水および石鹸液に加えて消毒液をも供給できるようにしたものを提案した（特公平７−９１８５３号公報参照）。このように、手洗い装置に手洗い水および石鹸液の供給に止まらず消毒液の供給機能をも付加することにより、手や指先に対し石鹸液と手洗い水による清浄化に加えて消毒をも一連の動作として手軽に行うことができ、手や指先の衛生度をより高めることができる。かかる高機能の手洗い装置は、例えば病院や食品工場など、特に厳格な衛生管理が求められる区域に好適である。
【０００４】
上記のような特に厳格な衛生管理が求められる区域では、手洗いによる手や指先の清浄化だけでなく「うがい」の励行または義務付けが要求される場合が多々ある。このような場合、従来では、手洗い装置とは別途に、ユーザの使用意志に応じて「うがい液」を供給する「うがい装置」が設置されていた。
ところで、近年では、衛生管理意識の高まりから、上述のような特に厳格な衛生管理が求められる病院や食品工場だけでなく、一般企業のオフィスや工場、或いはレストランや喫茶店などの店舗、更には一般家庭などにおいても、予防衛生の一環として、手洗いによる手や指先の清浄化だけでなく「うがい」の励行が望まれるようになりつつある。
【０００５】
【発明が解決しようとする課題】
ところが、従来では、「うがい装置」は手洗い装置とは別途に設けられるので、広い設置スペースが必要となる上、「うがい」と手洗いとを一連の動作として行うには不便であった。
また、「うがい」を行うことにより必然的にシンクの内面がうがい液で汚れ不潔感を及ぼすので、うがい後にはシンク内面ができるだけ綺麗に洗浄されることが望ましい。
更に、かかる「うがい装置」や手洗い装置のような衛生設備を、特に、オフィスや店舗あるいは住居内などに設ける場合、周囲のインテリアと違和感なく設置できることが望まれる。
【０００６】
そこで、本願発明は、「うがい」と手洗いとを一連の動作として不便なく手軽に行うことができ、また、うがい後にシンク内面を綺麗に洗浄することができ、更には、設置場所に応じて違和感なく設置することができる手洗い装置を提供することを、基本的な目的としてなされたものである。
【０００７】
【課題を解決するための手段】
このため、本願の第１の発明に係る手洗い装置は、石鹸液を吐出する石鹸液ノズルと手洗い水を吐出する手洗い水ノズルと消毒液を吐出する消毒液ノズルとがこの順序でシンク上部に配設されるとともに、うがい液を吐出するうがい液ノズルが上記シンクの上部に配置されており、上記石鹸液ノズルへ石鹸液を供給する石鹸液供給手段と、手洗い水ノズルへ手洗い水を供給する手洗い水供給手段と、消毒液ノズルへ消毒液を供給する消毒液供給手段と、これら各供給手段の作動を制御し得る第１制御ユニットとを備えた給水給液部が設けられる一方、上記各ノズルについて使用者の使用動作を検出する検出センサと、該検出センサの検出信号を受信し得る第２制御ユニットとがシンク側に設けられ、
該第２制御ユニットと上記第１制御ユニットとは、上記シンクと給水給液部とを組み立てた際に電気的に結合し得るように構成されており、上記第２制御ユニットには上記検出センサの感度を調節する調節手段が付設されている、ことを特徴としたものである。
【０００９】
また、本願の第２の発明は、上記第１の発明において、上記シンクの底面部に排液口が設けられ、該シンクの少なくとも底面部を洗浄する洗浄水供給用の洗浄水ノズルが配設されていることを特徴としたものである。
【００１０】
更に、本願の第３の発明は、上記第２の発明において、上記シンクの底面部は略円形および略長円形のいずれか一方の形状に形成されるとともに、径方向に延設された立ち上がり段部によって上記排液口の一部をそれぞれ含む複数の領域に区分けされ、これら区分けされた各領域は、周方向において一端側の立ち上がり段部の上端側から他端側の立ち上がり段部の下端側に向かって傾斜し、且つ、径方向において周縁側から排液口側に向かって傾斜する傾斜面を備えており、各領域毎に周方向に洗浄水を噴出させる洗浄水ノズルが設けられていることを特徴としたものである。
【００１１】
また、更に、第４の発明は、上記第１〜第３の発明の何れかにおいて、上記手洗い水供給手段と、上記薬液供給手段と、上記石鹸液供給手段と、上記うがい液ノズルへうがい液を供給するうがい液供給手段とが上記シンクの近傍に設けられ、該シンクと上記手洗い水供給手段と薬液供給手段と石鹸液供給手段とうがい液供給手段とを含み実質的に装置全体がキャビネット内に収納されている、ことを特徴としたものである。
【００１２】
【発明の実施の形態】
以下、本発明の実施の形態を添付図面に基づいて詳細に説明する。
図１，図２及び図３は本実施の形態に係る手洗い装置の構成を概略的に説明するための平面説明図，正面説明図及び側面説明図である。これらの図に示すように、上記手洗い装置１は、シンクユニット１０と給水ユニット３０と薬液供給ユニット５０とを主要部として構成され、これら主要部１０，３０，５０は縦壁の壁面Ｗａにそれぞれ取り付けられている。尚、上記給水ユニット３０と薬液供給ユニット５０とが、本願請求項に記載した「装置の給水給液部」に相当している。
【００１３】
上記シンクユニット１０は凹部１２を有する手洗いシンク１１（以下、適宜、単に「シンク」と称する。）をベースにして構成されており、該シンク１１の背部縦壁１１ｂの前側上面には、所定の石鹸液を例えば泡状にして或いは噴流として吐出供給するための石鹸液ノズルＮｓと、手洗い水を例えば噴流として吐出供給するための手洗い水ノズルＮｗと、所定の消毒液を例えば噴霧状態で吐出供給するための消毒液ノズルＮｄとがこの順序で配設されている。
【００１４】
また、上記シンク１１の上面には、上記３つのノズルＮｓ，Ｎｗ，Ｎｄに加えて、うがい液を例えば噴流として吐出供給するうがい液ノズルＮｇが設けられ、その近傍にはうがい液ノズルＮｇからうがい液を吐出供給させる際に押し下げ操作される押し釦式のマニュアル操作スイッチＳｇが配置されている。
上記うがい液ノズルＮｇから吐出供給される「うがい液」は、うがい液タンクＴｇ（図２参照）から供給されるうがい液の原液を水（うがい水）で希釈したもので、うがい液ノズルＮｇには、原液を所定の濃度に希釈するためにアスピレータＧａが付設されている（図１及び図３並びに後述する図９参照）。
【００１５】
後述するように、うがい水パイプＰｇｗを介してアスピレータＧａ内に所定圧力のうがい水が導入されると、その動圧によってアスピレータＧａ内に負圧が生じ、この負圧の作用で、うがい液パイプＰｇを介して、うがい液タンクＴｇ側からうがい液（原液）が吸い上げられる。こうして吸い上げられたうがい液の原液とうがい水とが、所定割合で混合された状態で（つまり、所定濃度に希釈された状態で）、うがい液ノズルＮｇから吐出供給されるようになっている。尚、上記アスピレータＧａ自体は、従来から良く知られているものと同じ物であるので、これ以上の詳細な説明および図示は省略する。
【００１６】
このように、シンク１１上に石鹸液ノズルＮｓと手洗い水ノズルＮｗと消毒液ノズルＮｄとがこの順序で配置されるとともに、うがい液を供給するうがい液ノズルＮｇが設けられているので、うがいと手洗いとを一連の動作として不便なく手軽に行うことができる。
【００１７】
更に、上記手洗いシンク１１の上面には、後で詳しく説明するように、シンク底面部２０を洗浄する洗浄水を吐出供給するために、一対の洗浄水ノズルＮｃ１，Ｎｃ２が配設されている。
上記各ノズルのうち、うがい液ノズルＮｇ，石鹸液ノズルＮｓ及び消毒液ノズルＮｄには、それぞれ対応する各薬液タンクＴｇ，Ｔｓ及びＴｄ（後述する）内の薬液が無くなって当該タンクが空になった場合に、このことを知らせるために、例えば発光ダイオード（ＬＥＤ）を用いて構成された液切れ表示部（表示ランプ）Ｌｇ，Ｌｓ及びＬｄがそれぞれ付設されている。
【００１８】
また、上記各ノズルのうち、石鹸液ノズルＮｓ，手洗い水ノズルＮｗ及び消毒水ノズルＮｄの本体部の前面には、使用者（ユーザ）のノズル使用動作、つまり、ユーザが手指をノズル先端の前方に差し出す動作を検出するための手指センサＪｓ，Ｊｗ及びＪｄが設けられている。そして、これら３つのノズル（石鹸液ノズルＮｓ，手洗い水ノズルＮｗ及び消毒水ノズルＮｄ）については、ユーザは何らのマニュアル操作もする必要なしに、手指をノズル先端の前方に差し出すだけで、自動的に当該ノズルから薬液または手洗い水が吐出されるようになっている。
尚、上記手指センサＪｓ，Ｊｗ及びＪｄが、本願請求項に記載した「（各ノズルについて使用者の使用動作を検出する）検出センサ」に相当している。
【００１９】
上記手洗いシンク１１の凹部１２及びその底面部２０は、ともに平面視で略長円状に形成され、底面部２０の略中央部分には、シンク凹部１２内の排液を外部に排出するための排液口２８が設けられている。また、シンク１１の内壁面の上部適所には、オーバフロー防止用の逃がし穴１８が設けられ、該逃がし穴１８は上記排液口２８の下側に位置する排液キャビティ１７に連通している。
シンク凹部１２内の排液及び排液キャビティ１７内の排液は、排液パイプ１９（図２参照）を介して装置１の外部に排出される。
【００２０】
上記シンクユニット１０の下方に、給水ユニット３０及び薬液供給ユニット５０が配置されている。
上記給水ユニット３０には、給水口部３３を介して水道（上水道）管３２が繋ぎ込まれており、メインテナンス時などには、通常時は開かれている給水元バルブＶｏを閉じることによって給水ユニット３０への給水を停止させることができる。
【００２１】
この給水ユニット３０のユニットケース３１内部には、給水口部３３を介して水道管３２に連通する給水主管Ｐｏが上下方向に延設され、その側方には温水タンクＴｗが配設されており、上記水道管３２からの給水の一部が給水主管Ｐｏを介してこの温水タンクＴｗに導かれる。また、上記給水主管Ｐｏの下流側には、洗浄水用，うがい水用および手洗い水用の各電磁弁Ｖｃ，Ｖｇｗ及びＶｗが並列に配置されている。
【００２２】
一方、シンクユニット１０の下方で上記給水ユニット３０の側方に位置する薬液供給ユニット５０内には、うがい液ノズルＮｇに供給するうがい液（原液）を貯えるうがい液タンクＴｇ，石鹸液ノズルＮｓに供給する石鹸液を貯える石鹸液タンクＴｓ及び消毒液ノズルＮｄに供給する消毒液を貯える消毒液タンクＴｄが並んで配置されている。
また、各タンクＴｇ，Ｔｓ，Ｔｄの下方には、当該タンク内の薬液が無くなって当該タンクが空になったことを感知するために、液切れ感知センサＫｇ，Ｋｓ，Ｋｄがそれぞれ配設されている。
【００２３】
これらタンクＴｇ，Ｔｓ，Ｔｄはいずれもカートリッジ式のもので、タンク内の薬液が無くなった際には、空になったタンクを満タンの新しいタンクに取り換えることにより、無くなった薬液を容易に供給することができる。また、このタンク交換の際には、具体的には図示しなかったが、薬液供給ユニット５０のユニットケース５１のフロントカバーを開き、当該タンクの上部に付設された取っ手部を手で持ってタンクを引き上げて、当該タンクの下端側の接続部を抜脱することによりタンクを容易に取り外し、新しいタンクを取り付けることができるようになっている。
【００２４】
図４〜図７は、給水ユニット３０から給水を要する各ノズル（うがい液ノズルＮｇ，手洗い水ノズルＮｗ，洗浄水ノズルＮｃ１及びＮｃ２）への給水経路を示す説明図である。
これらの図に示すように、上記給水ユニット３０内に延設された給水主管Ｐｏには、給水部３３から下流側に向かってストレーナ３４，逆止弁３５，定流量減圧弁３６がこの順序で設けられている。この定流量減圧弁３６は、流量を一定に維持したままで通過流体を減圧するもので、水道管３２からの給水を流量一定のままで所定圧力まで減圧して下流側に供給する。この定流量減圧弁３６の下流側に、洗浄水用，うがい水用および手洗い水用の各電磁弁Ｖｃ，Ｖｇｗ及びＶｗが並列に配置されている。
【００２５】
そして、図５から良く分かるように、洗浄水用電磁弁Ｖｃからの給水は洗浄水送給管Ｐｃ１，Ｐｃ２を介して洗浄水ノズルＮｃ１，Ｎｃ２に送給され、うがい水用電磁弁Ｖｇｗからの給水はうがい水送給管Ｐｇｗを介してうがい液ノズルＮｇのアスピレータＧａに、また、手洗い水用電磁弁Ｖｗからの給水は最終的には手洗い水送給管Ｐｗを介して手洗い水ノズルＮｗに、それぞれ送給される。
【００２６】
上記の給水経路をより詳しく説明すれば、定流量減圧弁３６から洗浄水用電磁弁Ｖｃへの給水は、基本的には当該電磁弁Ｖｃの出口ポートに接続された出口管４１から吐出された後、分岐して洗浄水送給管Ｐｃ１及びＰｃ２に送られ、これら送給管Ｐｃ１，Ｐｃ２を介して洗浄水ノズルＮｃ１，Ｎｃ２にそれぞれ送給される。
また、定流量減圧弁３６からうがい水用電磁弁Ｖｇｗへの給水は、基本的には当該電磁弁Ｖｇｗの出口ポートに接続された出口管４２から吐出された後、うがい水送給管Ｐｇｗに送られ、この送給管Ｐｇｗを介してうがい液ノズルＮｇアスピレータＧａに送給される。
【００２７】
上記定流量減圧弁３６から洗浄水用電磁弁Ｖｃ，うがい水用電磁弁Ｖｇｗへの給水は、各々その一部がドレン（余剰水）として電磁弁Ｖｃ，Ｖｇｗのドレンポートから給水ユニット３０のドレン口部４９（図７参照）に導かれている。
尚、図６及び図７においては、図面が過度に複雑なものになること回避するために、給水ユニット３０の内部配管の一部が省略されているが、実際には、これら両図に記載の丸印（○）で囲んだＡ〜Ｈのアルファベット符号の同一符号で示されるポイント間を接続して内部配管が設けられる。
【００２８】
一方、定流量減圧弁３６から手洗い用電磁弁Ｖｗへの給水は、その一部が、Ｙ形継手３７の分岐管３７ａ及びＹ形継手３８の分岐管３８ａを介して、温水タンクＴｗに付設された混合部４０内に導かれる（図６及び図７参照）。また、残り部分はＹ形継手３７の分岐管３７ｂを介して温水タンクＴｗに導かれるとともに、Ｙ形継手３８の分岐管３８ｃを介して、温水タンクＴｗから所定温度の温水が上記混合部４０内に供給される。
【００２９】
そして、この混合部４０内でミキシングされて適温とされた手洗い水が、混合部４０の出口管４０ｄから手洗い水出口管４３に送られ、これに接続された手洗い水送給管Ｐｗを介して、手洗い水ノズルＮｗに送給されるようになっている。
尚、上記温水タンクＴｗに送られた給水の一部は、温水タンクＴｗのドレンポートから給水ユニット３０のドレン口部４９に導かれている。寒冷地などにおいて凍結による配管破裂の惧れがある場合には、バルブＶｏを閉じると共にドレン口部４９を開くことによって配管内部の滞留水を排出し、これにより配管破裂の発生を防止するようになっている。
【００３０】
図８〜図１１は、薬液供給ユニット５０から各薬液ノズルＮｇ，Ｎｓ，Ｎｄへの給液（薬液の供給）経路を示す説明図である。これらの図に示すように、上記薬液供給ユニット５０と各薬液ノズル（うがい液ノズルＮｇ，石鹸液ノズルＮｓ及び消毒液ノズルＮｄ）との間には、対応する薬液タンク（うがい液タンクＴｇ，石鹸液タンクＴｓ，消毒液タンクＴｄ）から薬液を送給するための送給管（うがい液送給管Ｐｇ，石鹸液送給管Ｐｓ，消毒液送給管Ｐｄ）が配設されている。
【００３１】
また、薬液供給ユニット５０のユニットケース５１内には、うがい液送給管Ｐｇに接続されたうがい液逆止用電磁弁Ｖｇ，石鹸液送給管Ｐｓに接続された石鹸液用電磁ポンプＭｓ，消毒液送給管Ｐｄに接続された消毒液用電磁ポンプＭｄが、それぞれ対応する薬液タンクの背面側に配設されている。
これら電磁弁Ｖｇ及び電磁ポンプＭｓ，Ｍｄの上流側には、それぞれ対応する薬液を薬液タンクＴｇ，Ｔｓ，Ｔｄの下端接続口から導く薬液導入管Ｑｇ，Ｑｓ，Ｑｄが接続されている。一方、各薬液タンクＴｇ，Ｔｓ，Ｔｄの下方におけるフロント側には、前述したように、液切れ感知センサＫｇ，Ｋｓ，Ｋｄ（図２参照）が配設されている。
【００３２】
すなわち、例えば、うがい液の供給系の場合を例にとって説明すれば、図１２に示すように、薬液供給ユニット５０のケース５１側には、うがい液タンクＴｇの下端接続部を受け合う収納凹部５２が設けられ、この凹部５２の下部の薬液導入孔５３の背面側（図１２における右側）に薬液（うがい液）導入管Ｑｇの端末部が繋ぎ込まれている。そして、上記薬液導入孔５３のフロント側（図１２における左側）に、うがい液タンクＴｇの液切れ感知センサＫｇが設けられている。
このような薬液タンクＴｇの薬液供給ユニット５０への組付構造、薬液導入管Ｑｇの端末部の接続構造、および液切れ感知センサＫｇの取付構造等は、他の２種類の薬液（石鹸液および消毒液）の供給系における場合も同様である。
【００３３】
尚、上記うがい液の供給系では、具体的には図示しなかったが、うがい液タンクＴｇの下端接続部と上記収納凹部５２との嵌合部には、異物や塵埃等が混入することを確実に防止するために、両者間を液密にシールするシール部材が配設されている。このように両者間を密封した場合、タンクＴｇ内に大気圧が導入されにくくなるので、タンクＴｇ内の液面に十分な圧力が作用せず、その結果、薬液（うがい液）のスムースな供給に支障を来すことも考えられる。
そこで、本実施の形態では、より好ましくは、上記収納凹部５２の上部にエア配管５５を繋ぎ込み、タンクＴｇ内にエア（大気）を供給し得るようにしている。
【００３４】
以上の構成により、うがい液導入管Ｑｇ，逆止用電磁弁Ｖｇ及びうがい液送給管Ｐｇを順次介して、うがい液タンクＴｇ内のうがい液（原液）がうがい液ノズルＮｇのアスピレータＧａ内に供給される。また、石鹸液導入管Ｑｓ，電磁ポンプＭｓ及び石鹸液送給管Ｐｓを順次介して、石鹸液タンクＴｓ内の石鹸液が石鹸液ノズルＮｓ内に供給される。更に、消毒液導入管Ｑｄ，電磁ポンプＭｄ及び消毒液送給管Ｐｄを順次介して、消毒液タンクＴｄ内の消毒液が消毒液ノズルＮｄ内に供給されるようになっている。
【００３５】
上記石鹸液タンクＴｓ，石鹸液導入管Ｑｓ，石鹸液用電磁ポンプＭｓ及び石鹸液送給管Ｐｓが本願請求項に記載した「（石鹸液ノズルへ石鹸液を供給する）石鹸液供給手段」の主要部を構成し、上記給水主管Ｐｏ，手洗い水用電磁弁Ｖｗ，温水タンクＴｗ，混合部４０，手洗い水出口管４３及び手洗い水送給管Ｐｗが本願請求項に記載した「（手洗い水ノズルへ手洗い水を供給する）手洗い水供給手段」の主要部を構成し、また、上記消毒液タンクＴｄ，消毒液導入管Ｑｄ，消毒液用電磁ポンプＭｄ及び消毒液送給管Ｐｄが本願請求項に記載した「（消毒液ノズルへ消毒液を供給する）消毒液供給手段」の主要部を構成している。
【００３６】
次に、上記手洗い装置１の制御系について説明する。図１３は手洗い装置１の制御系の構成を概略的に示す説明図である。この図に示すように、手洗い装置１のシンクユニット１０には中継基板６０が、給水ユニット３０には操作基板７０および温水器基板８０が、また、薬液供給ユニット５０にはコントロール基板９０が、それぞれ備えられている。
【００３７】
上記各基板は、いずれも単数または複数の電気及び／又は電子回路を搭載した回路基板で構成されている。上記操作基板７０は温水器基板８０およびコントロール基板９０に電気的に接続され、また、温水器基板８０とコントロール基板９０も相互に電気的に接続されている。一方、上記中継基板６０はコントロール基板９０とのみ接続されており、両基板６０，９０は、給水ユニット３０と薬液供給ユニット５０とで成る「給水給液部」にシンクユニット１０を組み付けた際に電気的に結合することができる。
【００３８】
尚、上記中継基板６０が実質的に本願請求項に記載した「第１制御ユニット」に相当し、上記操作基板７０及びコントロール基板９０が実質的に本願請求項に記載した「第２制御ユニット」に相当している。また、上記給水ユニット３０と薬液供給ユニット５０とが実質的に本願請求項に記載した「給水給液部」に相当している。
【００３９】
上記基板間は、例えば多芯ケーブルによって接続されており、特に、中継基板６０とコントロール基板９０とは、所謂カプラＣｐ（図１４参照）を用いて接続され、ワンタッチでその接続操作を行うことができる。換言すれば、シンクユニット１０側に設けられた「第１制御ユニット」と給水給液ユニット３０，５０側に設けられた「第２制御ユニット」とは、シンクユニット１０と給水給液ユニット３０，５０とを組付／分離する際に、ワンタッチでその接続／離脱操作を行うことができるようになっている。
【００４０】
上記コントロール基板９０は、薬液供給ユニット５０のケース５１内に設けられた基板ボックス５９内に収納して取り付けられ（図５及び図９〜１１参照）、また、操作基板７０及び温水器基板８０は、給水ユニット３０のケース３１内に設けられた基板ボックス４７及び４８内にそれぞれ収納して取り付けられている（例えば、図４参照）。上記操作基板７０の基板ボックス４７のフロント側には、操作基板７０と電気的に接続された操作盤（不図示）が取り付けられている。
この代わりに、操作用のコントローラ（例えばリモート式のコントローラ）を別途に設けるようにしても良い。尚、上記中継基板６０については、具体的には図示しなかったが、シンクユニット１０の近傍に基板ボックスを設け、このボックス内に収納して取り付けることができる。
【００４１】
また、図１４は上記各基板の構成を概略的に示すブロック構成図である。この図１４を併せて参照すればよく分かるように、上記中継基板６０には、うがい液ノズルＮｇのマニュアル操作スイッチＳｇ、各薬液（うがい液，石鹸液および消毒液）の液切れをそれぞれ表示する液切れ表示ランプＬｇ，Ｌｓ及びＬｄ、ユーザのノズル（石鹸液ノズルＮｓ，手洗い水ノズルＮｗ及び消毒水ノズルＮｄ）使用動作をそれぞれ検出する手指センサＪｓ，Ｊｗ及びＪｄが各々電気的に接続されている。これらスイッチの入力信号および各センサの検出信号は、全てこの中継基板６０を経てコントロール基板９０に入力されるようになっている。尚、図１３においては、石鹸液および消毒液の液切れ表示の基板が、符号Ｂｓ及びＢｄを付して模式的に示されている。
【００４２】
更に、上記中継基板６０には、上記自動吐出式のノズル（石鹸液ノズルＮｓ，手洗い水ノズルＮｗ及び消毒水ノズルＮｄ）に付設された各手指センサＪｓ，Ｊｗ及びＪｄの感度をそれぞれ個別に調節するための感度調節ダイヤルＩｓ，Ｉｗ及びＩｄが設けられている。
周知のように、シンク１１の大きさや形状が異なって上記自動吐出式のノズル（石鹸液ノズルＮｓ，手洗い水ノズルＮｗ及び消毒水ノズルＮｄ）の形状や寸法が変わると、各手指センサＪｓ，Ｊｗ及びＪｄの配設位置からのユーザの手指差し出し位置の距離が変化する。このような場合、手指センサＪｓ，Ｊｗ及びＪｄの感度が一定であれば有効に対応できないことになる。
【００４３】
以上のように、本実施の形態では、石鹸液供給手段と手洗い水供給手段と消毒液供給手段と第１制御ユニット（操作基板７０とコントロール基板９０）とを備えた給水給液部（給水ユニット３０及び薬液供給ユニット５０）が設けられる一方、各ノズルについて使用者の使用動作を検出する検出センサ（手指センサＪｓ，Ｊｗ及びＪｄ）と第２制御ユニット（中継基板６０）がシンクユニット１０側に設けられ、この第２制御ユニットと第１制御ユニットとは、シンクユニット１０と給水給液部３０及び５０と組み立てた際に電気的に結合し得るので、給水給液部３０及び５０を共通化してシンクユニット１０側のみを仕様変更することができ、多種類の手洗い装置を効率良く生産することができる。
【００４４】
特に、シンクユニット１０側に設けられた「第２制御ユニット（中継基板６０）」と給水給液部３０及び５０側に設けられた「第１制御ユニット（操作基板７０とコントロール基板９０）」とは、カプラＣｐを用いて接続されるので、シンクユニット１０と給水給液３０及び５０とを組付／分離する際に、ワンタッチでその接続／離脱操作を行うことができ、手洗い装置の組付／分解作業をより容易かつ効率良く行うことができる。
【００４５】
また、シンクユニット１０側に備えられた第２制御ユニット（中継基板６０）に検出センサ（手指センサＪｓ，Ｊｗ及びＪｄ）の感度をそれぞれ調節する調節手段（感度調節ダイヤルＩｓ，Ｉｗ及びＩｄ）が付設されているので、シンク１１の型式やノズルの型式が異なって検出センサから使用者の手指差し出し位置までの距離が変化するような場合でも、各検出センサの感度をそれぞれの場合に応じて最適に調節することができる。つまり、同一の手指センサＪｓ，Ｊｗ及びＪｄを用いることができる。従って、給水給液部を共通化してシンク側のみを変更する場合でも、極めて効率よく且つ容易に対応することができるのである。
【００４６】
一方、上記コントロール基板９０には、操作基板７０及び温水器基板８０が電気的に接続されるとともに、各薬液（うがい液，石鹸液および消毒液）タンクＴｇ，Ｔｓ及びＴｄの液切れをそれぞれ検出する液切れ感知センサＫｇ，Ｋｓ及びＫｄ、並びに、うがい液の逆止用電磁弁Ｖｇ並びに石鹸液および消毒液用の電磁ポンプＭｓ及びＭｄが接続されている。更に、給水ユニット３０に組み込まれたうがい水用，手洗い水用および洗浄水用の各電磁弁Ｖｇｗ，Ｖｗ及びＶｃもこのコントロール基板９０に接続されている。そして、これらの機器はいずれも、コントロール基板９０に搭載された制御回路によって、その作動が制御されるようになっている。
【００４７】
上記操作基板７０には、運転スイッチ７１及びその表示ランプ７２、並びに温水器スイッチ７３及びその表示ランプ７４が接続されている。上記運転スイッチ７１は、手洗い装置１の電源が投入されて装置１の運転可能状態において、一時的に運転を停止させる際にオン（ＯＮ）操作されるものある。つまり、この運転スイッチ７１をＯＮ操作することによって装置１の運転が一時的に停止され、この一時停止の状態で再度ＯＮ操作されると、この一時停止状態が解除されるようになっている。表示ランプ７２は、運転停止状態のときに消灯される。また、上記温水器スイッチ７３は、例えば夏場など温水器の使用が特に必要でない場合等にＯＮ操作され、これにより温水器の稼働が停止される。再度ＯＮ操作することにより、温水器は稼働される。上記表示ランプ７４は、温水器稼働停止状態のときに消灯される。
【００４８】
また、上記操作基板７０には、うがい液，石鹸液および消毒液の３種類のリセットスイッチ７５並びに各々のリセット表示ランプ７６が接続されている。これらリセットスイッチ７５は、当該薬液タンク内に薬液が有るにも拘らず、液切れ感知センサＫｇ，Ｋｓ，Ｋｄ及び／又は液切れ表示ランプＬｇ，Ｌｓ，Ｌｄではタンク内に薬液が無いと感知および／又は表示されている場合に、対応するリセットスイッチ７５をＯＮ操作することにより、強制的に薬液の供給系統を駆動させる強制動作モードに設定するものである。
【００４９】
これら強制動作モードは、上記液切れ感知センサＫｇ，Ｋｓ，Ｋｄ及び／又は液切れ表示ランプＬｇ，Ｌｓ，Ｌｄに故障が生じた場合の他、例えば当該薬液タンクを交換した場合などにも適用される。すなわち、液切れ感知センサＫｇ，Ｋｓ，Ｋｄは、タンクからノズルに至る供給経路の途中部に設けられる関係上、タンク交換初期においては、タンクは満タン状態でも、供給経路の途中部には薬液が存在しなくて、液切れ感知センサが液の存在を感知せず、これに伴って、液切れ表示ランプが「液切れ」の表示を行う場合があるからである。
【００５０】
上記操作基板７０には、更に、洗浄水ノズルＮｃ１，Ｎｃ２によるシンク１１の自動洗浄を行わせる際の洗浄開始時刻を設定する自動洗浄開始時刻設定スイッチ７７およびその時刻設定表示部７８が設けられている。この設定スイッチ７７により、シンク１１の自動洗浄について、０〜２４時間の任意の時間設定を行うことができる。
操作基板７０に接続された以上のスイッチ類の入力信号は全て、この操作基板７０を経てコントロール基板９０に入力されるようになっている。
また更に、温水器基板８０には、電源コンセント８１の他、温水タンクＴｗ内の水を所定温度範囲に加熱するための温水器ヒータ８２，タンクサーミスタ８３，出湯サーミスタ８４，タンク内の水面レベルを所定レベル範囲に設定するためのフロートスイッチ８５及びトランス８６が、それぞれ接続されている。
【００５１】
以上の構成を備えた手洗い装置１の作動制御について、各作動モードにおける制御の詳細な説明に先立って、その概略を説明する。
まず、電源がＯＮされて手洗い装置１が運転状態に設定される。この状態において、ユーザがうがい液ノズルＮｇのマニュアルスイッチＳｇを押し下げ操作すると、うがい水用電磁弁Ｖｇｗ及びうがい液逆止用電磁弁Ｖｇが駆動され、マニュアルスイッチＳｇが押下されている期間だけ、うがい液ノズルＮｇからうがい液が吐出される。そして、ユーザがマニュアルスイッチＳｇの押し下げ操作を解除すると、うがい液の吐出は停止される。
【００５２】
このうがいが終わるとシンク１１の自動洗浄が行われる。すなわち、うがい水用電磁弁Ｖｇｗの駆動が停止されると所定時間後（例えば３秒後）に洗浄水用電磁弁Ｖｃが駆動され、洗浄水ノズルＮｃ１，Ｎｃ２から洗浄水が一定時間（例えば５秒間）吐出され、シンク１１の底面部２０の洗浄が行われるようになっている。
【００５３】
このように、本実施の形態では、洗浄水供給用の洗浄水ノズルＮｃ１，Ｎｃ２が配設されているので、シンク１１の少なくとも底面部２０を洗浄することができ、特に、うがい後にうがい液で汚れたシンク内面を奇麗に洗浄することができる。また、かかるシンク１１の洗浄を自動的に行わせることができる。
【００５４】
また、ユーザが手指の清浄のために、手指を石鹸液ノズルＮｓの先端の前方に差し出すと、手指センサＪｓがこれを検出し、この検出信号に基づいて石鹸液用電磁ポンプＭｓが駆動され、石鹸液ノズルＮｓから所定時間（例えば１秒間）だけ石鹸液が吐出される。尚、この石鹸液の吐出中に手指センサＪｓがＯＦＦした場合には、石鹸液の吐出は停止される。この石鹸液の最小吐出期間は例えば約０．５秒間に設定されている。
【００５５】
続いて、ユーザが手指を手洗い水ノズルＮｗの先端の前方に手指を差し出すと、手指センサＪｗがこれを検出し、この検出信号に基づいて手洗い水用電磁弁Ｖｗが駆動され、手洗い水ノズルＶｗから手洗い水が吐出される。この手洗い水の最大吐出時間は例えば６０秒に設定されており、手洗い水の吐出中に手指センサＪｗがＯＦＦした場合には、その吐出は停止されるようになっている。
【００５６】
最後に、ユーザが手指を消毒液ノズルＮｄの先端の前方に手指を差し出すと、手指センサＪｄがこれを検出し、この検出信号に基づいて消毒液用電磁ポンプＭｄが駆動され、消毒液ノズルＮｄから所定時間（例えば５秒間）だけ消毒液が吐出される。尚、この消毒液の吐出中に手指センサＪｄがＯＦＦした場合には、消毒液の吐出は停止される。この消毒液の最小吐出期間は例えば約１秒間に設定されている。
【００５７】
以上の一連の手洗い動作において、手洗い水吐出中に石鹸液ノズルＮｓの手指センサＪｓがＯＮした場合には、石鹸液ノズルＮｓから石鹸液が吐出されるが、この場合を除いては、どれか一つのノズルから水または薬液が吐出されている間は、他のノズルの吐出動作は禁止されるようになっている。
【００５８】
尚、上記の説明では、うがいの後に手指の清浄化（手洗い及び消毒）を行うようにしていたが、この逆に、手指清浄化の後にうがいを行うようにしても良い。
また、本実施の形態では、うがい直後にシンク１１の洗浄を行うようにしていたが、この替わりに、うがい及び手洗いの一連の動作を終えた後に、シンク１１の洗浄を行うようにしても良い。
【００５９】
以上のように構成された手洗い装置の操作・各作動モードおよび制御について、図１５〜図２１のフローチャートを参照しながら説明する。
まず、メインルーチンとして、電源入力された際またはリセットスイッチがオン（ＯＮ）された際（パワーオン・リセットの際）には、図１５のフローチャートに示すように、ステップＳ１で、テストモードか否かが判定される。このテストモードは、具体的には図示しなかったが、操作基板７０に設けられた特定の釦（テスト釦）を押し下げ操作しながら電源入力することによって実行されるモードである。このステップＳ１の判定結果がイエス（ＹＥＳ：テストモード）の場合には、ステップＳ２をスキップして待機モードに設定され、ステップＳ３以降の各ステップが実行される。
【００６０】
一方、上記ステップＳ１の判定結果がノオ（ＮＯ）の場合には、自動的に洗浄水ノズルＮｃ１，Ｎｃ２からシンク１１の底面部２０に洗浄水が噴出させられ、自動洗浄が行われ（ステップＳ２）、その後、運転モードが待機モードに設定される。
この待機モードでは、まず、うがい水用の電磁弁Ｖｇｗ、薬液用の各電磁ポンプＭｓ，Ｍｄ、手洗い水用および洗浄水用の各電磁弁Ｖｗ及びＶｃの作動がいずれもオフ（ＯＦＦ）に設定され（ステップＳ３〜Ｓ５）、運転ランプが点灯される（ステップＳ６）。
【００６１】
そして、ステップＳ７で、運転スイッチ７１がＯＦＦ状態か否かが判定され、これがＮＯ（運転スイッチ７１：ＯＮ）の場合には後述する停止モードに設定され、ＹＥＳの場合にはステップＳ８以降の各ステップ（Ｂ：図１６参照）が実行される。
すなわち、図１６のフローチャートに示すように、まず、いずれかの薬液タンクＴｇ，Ｔｓ，Ｔｄが空で「液切れ」が生じているか否かが判定され（ステップＳ８）、これがＹＥＳの場合には液切れが生じている薬液の液切れ表示ランプ（表示部）が点滅する（ステップＳ９）。このランプ点滅に応じて空の薬液タンクが新しいものに交換される。
【００６２】
その後、ステップＳ１０で再び液切れの判定が行われる。このステップＳ１０及び上記ステップＳ８の判定結果がＮＯの場合には、ステップＳ１１で、石鹸液ノズルＮｓ又は消毒液ノズルＮｄに付設された薬液用手指センサＪｓ又はＪｄのいずれかがＯＮされたか否かが判定され、これがＹＥＳの場合には後述する薬液吐出モードが実行される。
【００６３】
一方、上記ステップＳ１０の判定結果がＹＥＳの場合あるいはステップＳ１１の判定結果がＮＯの場合には、ステップＳ１２で手洗い水用の手指センサがＯＮされたか否かが判定され、これがＹＥＳの場合には後述する手洗い水吐出モードが実行される。
また、ステップＳ１２の判定結果がＮＯの場合には、リセットスイッチがＯＮされたか否かが判定され（ステップＳ１３）、これがＹＥＳの場合には後述する強制動作モードが実行される。一方、ステップＳ１３の判定結果がＮＯの場合にはステップＳ７（図１５のフローチャート参照）に戻って、それ以降の各ステップが実行されるようになっている。
【００６４】
うがい液の薬液吐出モードでは、図１７のフローチャートに示すように、まず、ステップＳ２１でうがい用の電磁弁Ｖｇ，ＶｇｗがＯＮされ、次に、運転スイッチ７１がＯＦＦされているか否かが判定され（ステップＳ２２）、これがＮＯの場合には停止モードに設定される。一方、ステップＳ２２の判定結果がＹＥＳの場合には、ステップＳ２３で、うがいスイッチＳｇがＯＦＦであるか否かが判定され、これがＹＥＳ（うがいスイッチＳｇ：ＯＦＦ）の場合には、ステップＳ２４でうがい用の電磁弁Ｖｇ，ＶｇｗがＯＦＦされ、次いで、所定時間後（例えば３秒後）に洗浄水用電磁弁ＶｃがＯＮされる（ステップＳ２５）。そして、ステップＳ２６で洗浄水の吐出時間が所定時間を経過したか否かが判定され、これがＹＥＳになると待機モードに設定される。
【００６５】
一方、ステップＳ２３の判定結果がＮＯ（うがいスイッチＳｇ：ＯＮ）の場合には、ステップＳ２７でうがい液の吐出時間が所定時間を経過したか否かが判定され、これがＹＥＳの場合には待機モードに設定され、ＮＯの場合にはうがい液の液切れが生じたか否かが判定される（ステップＳ２８）。そして、このステップＳ２８の判定結果がＮＯの場合にはステップＳ２２に戻ってそれ以降の各ステップが繰り返され、ＹＥＳの場合には、当該薬液の液切れランプが点滅し（ステップＳ２９）、その後、待機モードに設定されるようになっている。
【００６６】
また、石鹸液または消毒液を吐出する薬液吐出モードでは、図１８のフローチャートに示すように、まず、当該薬液用の電磁ポンプがＯＮされ（ステップＳ４１）、次いで、運転スイッチがＯＦＦ状態か否かが判定される（ステップＳ４２）。この判定結果がＮＯ（運転スイッチ：ＯＮ）の場合には停止モードに設定され、判定結果がＹＥＳ（運転スイッチ：ＯＦＦ）の場合には、ステップＳ４３で当該薬液用の手指センサがＯＦＦか否かが判定される。
【００６７】
そして、これがＹＥＳ（手指センサ：ＯＦＦ）の場合には待機モードに設定され、判定結果がＮＯ（手指センサ：ＯＮ）の場合には、ステップＳ４４で、当該薬液の吐出時間が所定時間を経過したか否かが判定される。この判定結果がＹＥＳの場合には待機モードに設定され、ＮＯの場合には当該薬液の液切れが生じたか否かが判定される（ステップＳ４５）。そして、これがＮＯの場合にはステップＳ４１以降の各ステップが繰り返され、ＹＥＳの場合には、液切れランプが点滅し（ステップＳ４６）、その後、待機モードに設定されるようになっている。
【００６８】
手洗い水吐出モードでは、図１９のフローチャートに示すように、まず、手洗い水用電磁弁ＶｗがＯＮされ（ステップＳ６１）、次いで、運転スイッチがＯＦＦ状態か否かが判定される（ステップＳ６２）。この判定結果がＮＯ（運転スイッチ：ＯＮ）の場合には停止モードに設定され、判定結果がＹＥＳ（運転スイッチ：ＯＦＦ）の場合には、ステップＳ６３で、手洗い水用の手指センサＪｗがＯＦＦか否かが判定される。
【００６９】
そして、これがＹＥＳ（手指センサ：ＯＦＦ）の場合には待機モードに設定され（ステップＳ６５）、判定結果がＮＯ（手指センサ：ＯＮ）の場合には、手洗い水の吐出時間が所定時間を経過したか否かが判定される（ステップＳ６４）。
これがＹＥＳの場合には待機モードに設定され、ＮＯの場合にはステップＳ６２以降の各ステップが繰り返されるようになっている。
【００７０】
更に、強制動作モードでは、図２０のフローチャートに示すように、当該薬液用のポンプ又は電磁弁がＯＮされ、手洗い水用の電磁弁ＶｗがＯＦＦされ、更に、運転ランプの点滅が開始される（ステップＳ７１〜７３）。次いで、運転スイッチがＯＦＦ状態か否かが判定される（ステップＳ７４）。この判定結果がＮＯ（運転スイッチ：ＯＮ）の場合には停止モードに設定され、判定結果がＹＥＳ（運転スイッチ：ＯＦＦ）の場合には、ステップＳ７５で強制動作時間が所定時間を経過したか否かが判定される。
【００７１】
この判定結果がＹＥＳの場合には待機モードに設定され、ＮＯの場合には、ステップＳ７６で当該薬液のリセットスイッチがＯＮされているか否かが判定され、これがＹＥＳの場合には待機モードに設定される。
一方、ステップＳ７６の判定結果がＮＯの場合には、ステップＳ７７で当該薬液に液切れが生じているか否かが判定され、これがＹＥＳの場合には液切れランプが点滅し（ステップＳ７８）、ＮＯの場合には液切れランプは消灯する（ステップＳ７９）ようになっている。
【００７２】
停止モードにおいては、図２１のフローチャートに示すように、手洗い水用の電磁弁Ｖｗ，薬液用電磁弁Ｖｇ，薬液用電磁ポンプＭｓ及びＭｄがいずれもＯＦＦ設定され、また、運転表示ランプ７２も消灯状態に設定される（ステップＳ８１〜８４）。その後、ステップＳ８５で、運転スイッチがＯＮされたか否かが判定され、この判定結果がＹＥＳ（運転スイッチ：ＯＮ）になると、待機モードに設定されるようになっている。
【００７３】
ところで、本実施の形態では、洗浄水ノズルＮｃ１，Ｎｃ２からの洗浄水吐出によるシンク底面部２０の洗浄をより効果的に行えるように、上記シンク１１の底面部２０は、複数の領域に区分けされ、且つ、その底面形状も特殊な形状に設定されている。以下、このシンク１１及びその底面部２０について説明する。
図２２〜図２６に示すように、上記シンク１１の凹部１２の周辺には、石鹸液ノズルＮｓ，手洗い水ノズルＮｗ，消毒液ノズルＮｄをそれぞれ取り付けるための貫通孔Ｈｓ，Ｈｗ，Ｈｄがこの順序で設けられると共に、うがい液ノズルＮｇ用の貫通孔Ｈｇが設けられている。
【００７４】
上記シンク１１の凹部１２は平面視で略長円状に形成され、その長軸の両端部近傍に、洗浄水ノズルＮｃ１，Ｎｃ２用の貫通孔Ｈｃ１，Ｈｃ２が略対向する位置に設けられている。また、シンク１１の底部裏面側には、オーバフロー防止用の逃がし穴１８を排液口２８の下側に位置する排液キャビティ１７に連通させる連通路２９が設けられている。
【００７５】
上記シンク１１の底面部２０は、図２２から良く分かるように、凹部１２の平面形状に略沿って略長円形に形成されている。そして、本実施の形態では、上記シンク底面部２０は、径方向（本実施の形態では長軸方向）に延設されて所定高さだけ立ち上げられた立ち上がり段部２３，２４によって排液口２８の一部をそれぞれ含む複数（本実施の形態では２つ）の領域２１，２２に区分けされている。
【００７６】
こうして区画された各領域２１，２２は、例えば区画領域２１（第１区画領域）を例に取って説明すれば、周方向においては、一端側（図２２における左端側）の立ち上がり段部２３（第１立ち上がり段部）の上端２３ｕ側から他端側（図２２における右端側）の立ち上がり段部２４（第２立ち上がり段部）の下端２４ｂ側に向かって傾斜している。また、径方向においては、周縁側から排液口２８側に向かって傾斜している。
すなわち、シンク底面部２０の第１区画領域２１は、その表面が、内側に向かって傾斜しながら、第１立ち上がり段部２３の上端２３ｕから第２立ち上がり段部２４の下端２４ｂに向かって傾斜している。
【００７７】
残りの区画領域２２（第２区画領域）についても、上記第１区画領域２１と長円の中心（つまり、排液口２８の中心）に関して点対称となるだけで、第１区画領域２１と同様の構成を備えている。すなわち、周方向においては、第２立ち上がり段部２４の上端２４ｕ側から第１立ち上がり段部２３の下端２３ｂ側に向かって傾斜し、径方向においては、周縁側から排液口２８側に向かって傾斜している。
【００７８】
そして、前述の洗浄水ノズルＮｃ１，Ｎｃ２は各区画領域２１，２２にそれぞれ対応して設けられている。すなわち、第１区画領域２１用の洗浄水ノズルＮｃ１は、第１立ち上がり段部２３の近傍に配置され、第１区画領域２１の傾斜面においてできるだけ位置が高い部分（つまり、第１立ち上がり段部２３の上端２３ｕ近傍で比較的周縁側に位置する部分）に向かって、洗浄水を噴出させる。また、第２区画領域２２用の洗浄水ノズルＮｃ２は、第２立ち上がり段部２４の近傍に配置され、第２区画領域２２の傾斜面においてできるだけ位置が高い部分（つまり、第２立ち上がり段部２４の上端２４ｕ近傍で比較的周縁側に位置する部分）に向かって、洗浄水を噴出させるように設定されている。
【００７９】
以上の構成において、例えば第１区画領域２１を例に取って説明すれば、洗浄水ノズルＮｃ１からの洗浄水は、図２２において仮想線（１点鎖線）の矢印で示すように、第１区画領域２１の傾斜面における最も位置が高い部分（つまり、第１立ち上がり段部２３の上端２３ｕ近傍で比較的周縁側に位置する部分）に向かって吐出され、区画領域２１の傾斜面に沿って（換言すれば、この傾斜面を洗浄しながら）、径方向に広がるとともに周方向については半旋回状（長円の周方向長さの約半分の長さにわたって旋回するように）に所定の流速で流れる。
【００８０】
この吐出流（洗浄水流）の比較的周縁側の流れについては、底面部２０の周縁に沿うようにして旋回しながら傾斜面上を走り、区画領域２１の終端部で第２立ち上がり段部２４（の下端２４ｄ）に衝突し、最終的にはこの第２立ち上がり段部２４の下端２４ｄに沿って排液口２８に流れ込む。一方、ノズルＮｃ１からの吐出流の比較的内側の流れについては、区画領域２１の終端部まで至らず、第２立ち上がり段部２４に衝突することなく、直接に排液口２８に流れ込む。このようにして、第１区画領域２１の傾斜面の略全体について洗浄水が流れ、その表面が洗浄されるようになっている。
【００８１】
洗浄水ノズルから吐出された洗浄水の流れの態様は、第２区画領域２２についても同様であり、洗浄水ノズルＮｃ２から吐出された洗浄水が傾斜面の略全体について流れ、その表面が洗浄されるようになっている。
尚、本実施の形態では、シンク１１の底面部２０が略長円状に形成されていたが、このような長円状の場合に限らず、シンク底面部が円形の場合についても、本願発明のシンク底面部の構成および洗浄水ノズルの配置構造を適用して、シンク底面部の効果的な洗浄を行うことが可能である。かかる構成は、特に、シンクのサイズが大きい場合に、より一層効果的である。
【００８２】
以上、説明したように、本実施の形態によれば、略長円形に形成されたシンク底面部２０について、径方向に延設された立ち上がり段部２３，２４によって排液口２８の一部をそれぞれ含む複数の領域２１，２２に区分けし、これら区分けされた各領域２１，２２は、周方向において一端側の立ち上がり段部２３，２４の上端２３ｕ，２４ｕ側から他端側の立ち上がり段部２４，２３の下端側２４ｂ，２３ｂに向かって傾斜し、且つ、径方向において周縁側から排液口２８側に向かって傾斜する傾斜面を備えるようにし、しかも、各領域２１，２２毎に周方向に洗浄水を噴出させる洗浄水ノズルＮｃ１，Ｎｃ２が設けられているようにしたので、各領域２１，２２に対して各洗浄水ノズルＮｃ１，Ｎｃ２からできるだけ位置の高い部位に向かって洗浄水が吐出されるように設定することにより、各領域２１，２２毎にその傾斜面の略全体について洗浄水を流し、より効果的にその表面を洗浄することができるのである。
【００８３】
以上のように構成された手洗い装置１は、例えば図２７に示すように、上記シンク１１を含み実質的にその全体をキャビネット内に収納した状態で設置することができる。該キャビネット１００は、その全体形状が略直方体のボックス状に形成されている。キャビネット１００のフロント側は左右に分割され、その各々が開閉可能な一対の扉１００ｄを構成しており、手洗い装置１を使用しない常態ではこれら扉１００ｄは閉じられている。そして、うがい及び手洗いを行うときには扉１００ｄを開いて、手洗い装置１が使用に供される。
【００８４】
上記キャビネット１００は、その設置場所に応じて、周囲のインテリヤにマッチした種々のデザイン（形状，模様，色彩など）のものが選定され得る。また、手洗い装置１の使用時／使用終了時に開閉される扉１００ｄについても、上記のような左右のいわゆる観音開きタイプに限らず、引き戸タイプやシャッタータイプなど、他の種々のタイプのものを採用することができる。
【００８５】
このように、実質的に手洗い装置１の全体をキャビネット１００内に収納したことにより、このキャビネット１００を適切にデザインすることにより、上記手洗い装置１を設置場所に応じて違和感なく設置することができるのである。
【００８６】
尚、図２７に示した例では、手洗い水ノズルＮｗの他、３種類の薬液ノズル（石鹸水ノズルＮｓ，消毒液ノズルＮｄ及びうがい液ノズルＮｇ）並びに洗浄水ノズルＮｃ１，Ｎｃ２の全てを備え、これらノズルに対する給水給液手段を有する手洗い装置１がキャビネット１００内に収納されていたが、このような周囲のインテリヤにマッチしたキャビネットに収納される手洗い装置としては、上記のようなものに限らず、例えば、所定の薬液ノズルとしての石鹸水ノズルと手洗い水ノズル及びそれらに対する給水給液手段のみを備えたものであっても良い。
【００８７】
このように、本願請求項に記載した各発明は、以上の実施態様に限定されるものではなく、その要旨を逸脱しない範囲において、種々の改良あるいは設計上の変更などが可能であることは言うまでもない。
【００８８】
【発明の効果】
本願の第１の発明によれば、シンク上に石鹸液ノズルと手洗い水ノズルと消毒液ノズルとがこの順序で配置されるとともに、うがい液を吐出するうがい液ノズルが設けられているので、うがいと手洗いとを一連の動作として不便なく手軽に行うことができる。
特に、石鹸液供給手段と手洗い水供給手段と消毒液供給手段と第１制御ユニットとを備えた給水給液部が設けられる一方、各ノズルについて使用者の使用動作を検出する検出センサと第２制御ユニットがシンク側に設けられ、この第２制御ユニットと第１制御ユニットとは、シンクと給水給液部と組み立てた際に電気的に結合し得るので、給水給液部を共通化してシンク側のみを仕様変更することができ、多種類の手洗い装置を効率良く生産することができる。また、シンク側に備えられた第２制御ユニットに検出センサの感度を調節する調節手段が付設されているので、シンクの型式やノズルの型式が異なって検出センサから使用者の手指差し出し位置までの距離が変化するような場合でも、各検出センサの感度をそれぞれの場合に応じて最適に調節することができる。これにより、給水給液部を共通化してシンク側のみを変更する場合でも、極めて効率よく且つ容易に対応することができる。
【００９０】
また、本願の第２の発明によれば、基本的には上記第１の発明と同様の効果を奏することができる。特に、洗浄水供給用の洗浄水ノズルが配設されているので、シンクの少なくとも底面部を洗浄することができ、特に、うがい後にうがい液で汚れたシンク内面を奇麗に洗浄することができる。
【００９１】
更に、本願の第３の発明によれば、基本的には上記第２の発明と同様の効果を奏することができる。特に、略円形または略長円形のいずれかの形状に形成されたシンク底面部について、径方向に延設された立ち上がり段部によって上記排液口の一部をそれぞれ含む複数の領域に区分けし、これら区分けされた各領域は、周方向において一端側の立ち上がり段部の上端側から他端側の立ち上がり段部の下端側に向かって傾斜し、且つ、径方向において周縁側から排液口側に向かって傾斜する傾斜面を備えるようにし、しかも、各領域毎に周方向に洗浄水を噴出させる洗浄水ノズルが設けられているようにしたので、各領域に対して各洗浄水ノズルからできるだけ位置の高い部位に向かって洗浄水が吐出されるように設定することにより、各領域毎にその傾斜面の略全体について洗浄水を流し、より効果的にその表面を洗浄することが可能になる。
【００９２】
また更に、本願の第４の発明によれば、上記第１〜第３の発明の何れかと同様の効果を奏することができる。特に、上記手洗い水供給手段と薬液供給手段と石鹸液供給手段とうがい液供給手段とを含み実質的に手洗い装置の全体がキャビネット内に収納される。従って、このキャビネットを適切にデザインすることにより、手洗い装置を設置場所に応じて違和感なく設置することができる。
【図面の簡単な説明】
【図１】  本発明の実施の形態に係る手洗い装置の平面説明図である。
【図２】  上記手洗い装置の正面説明図である。
【図３】  上記手洗い装置の側面説明図である。
【図４】  上記手洗い装置の給水を要する各ノズルへの給水経路を示すための給水ユニット及びシンクの側面説明図である。
【図５】  上記手洗い装置の給水を要する各ノズルへの給水経路を示すためのシンクの平面説明図である。
【図６】  上記給水ユニットの側面説明図である。
【図７】  上記給水ユニットの正面説明図である。
【図８】  上記手洗い装置の薬液ノズルへの薬液供給経路を示すための手洗い装置の正面説明図である。
【図９】  うがい液ノズルへのうがい液の供給経路を示す側面説明図である。
【図１０】  石鹸液ノズルへの石鹸液の供給経路を示す側面説明図である。
【図１１】  消毒液ノズルへの消毒液の供給経路を示す側面説明図である。
【図１２】  うがい液タンクの薬液供給ユニットへの組み込み状態を示す側面説明図である。
【図１３】  手洗い装置の制御系の構成を概略的に示す説明図である。
【図１４】  上記手洗い装置の制御系に設けられた基板の構成を概略的に示すブロック構成図である。
【図１５】  上記手洗い装置の作動制御の一例におけるメインルーチンを説明するためのフローチャートの一部である。
【図１６】  上記手洗い装置の作動制御の一例におけるメインルーチンを説明するためのフローチャートの一部である。
【図１７】  上記手洗い装置のうがい液吐出モードを説明するためのフローチャートである。
【図１８】  上記手洗い装置の石鹸液または消毒液吐出モードを説明するためのフローチャートである。
【図１９】  上記手洗い装置の手洗い水吐出モードを説明するためのフローチャートである。
【図２０】  上記手洗い装置の強制動作モードを説明するためのフローチャートである。
【図２１】  上記手洗い装置の停止モードを説明するためのフローチャートである。
【図２２】  上記手洗い装置のシンクの平面説明図である。
【図２３】  図２２のＸ１−Ｘ１面に沿った矢印Ｙ２３方向からのシンクの断面説明図である。
【図２４】  図２２のＸ１−Ｘ１面に沿った矢印Ｙ２４方向からのシンクの断面説明図である。
【図２５】  図２２のＸ２−Ｘ２線に沿った矢印Ｙ２５方向からのシンクの断面説明図である。
【図２６】  図２２のＸ２−Ｘ２線に沿った矢印Ｙ２６方向からのシンクの断面説明図である。
【図２７】  キャビネット内に収納された手洗い装置の正面説明図である。
【符号の説明】
１…手洗い装置
１０…シンクユニット
１１…手洗いシンク
２０…シンク底面部
２１，２２…区画領域
２３，２４…立ち上がり段部
２３ｂ，２４ｂ…立ち上がり段部の下端
２３ｕ，２４ｕ…立ち上がり段部の上端
２８…排液口
３０…給水ユニット
４０…（温水タンクの）混合部
４３…手洗い水出口管
５０…薬液供給ユニット
６０…中継基板
７０…操作基板
９０…コントロール基板
１００…キャビネット
１００ｄ…キャビネットの扉
Ｉｄ，Ｉｓ，Ｉｗ…（各手指センサの）感度調節ダイヤル
Ｊｄ，Ｊｓ，Ｊｗ…（消毒液，石鹸液，手洗い水）手指センサ
Ｍｄ，Ｍｓ…（消毒液用，石鹸液用）電磁ポンプ
Ｎｃ１，Ｎｃ２…洗浄水ノズル
Ｎｄ…消毒液ノズル
Ｎｇ…うがい液ノズル
Ｎｓ…石鹸液ノズル
Ｎｗ…手洗い水ノズル
Ｐｃ１，Ｐｃ２，Ｐｄ，Ｐｇ，Ｐｇｗ，Ｐｓ，Ｐｗ…送給管
Ｐｏ…給水主管
Ｑｇ，Ｑｄ，Ｑｓ…（うがい液，消毒液，石鹸液）導入管
Ｓｇ…うがい液ノズルのマニュアル操作スイッチ
Ｔｄ，Ｔｇ，Ｔｓ，Ｔｗ…（消毒液，うがい液，石鹸液，温水）タンク
Ｖｃ，Ｖｇ，Ｖｇｗ，Ｖｗ…電磁弁
【図１】
0004544711.tif 000002
【図２】
0004544711.tif 000003
【図３】
0004544711.tif 000004
【図４】
0004544711.tif 000005
【図５】
0004544711.tif 000006
【図６】
0004544711.tif 000007
【図７】
0004544711.tif 000008
【図８】
0004544711.tif 000009
【図９】
0004544711.tif 000010
【図１０】
0004544711.tif 000011
【図１１】
0004544711.tif 000012
【図１２】
0004544711.tif 000013
【図１３】
0004544711.tif 000014
【図１４】
0004544711.tif 000015
【図１５】
0004544711.tif 000016
【図１６】
0004544711.tif 000017
【図１７】
0004544711.tif 000018
【図１８】
0004544711.tif 000019
【図１９】
0004544711.tif 000020
【図２０】
0004544711.tif 000021
【図２１】
0004544711.tif 000022
【図２２】
0004544711.tif 000023
【図２３】
0004544711.tif 000024
【図２４】
0004544711.tif 000025
【図２５】
0004544711.tif 000026
【図２６】
0004544711.tif 000027
【図２７】
0004544711.tif 000028